(57)【要約】【課題】  写真撮影時にユーザが仕分け先のフォルダを指定できる機能を有し、撮影とフォルダ分けが同時に実施できる機能を提供する。【解決手段】  本発明は、被写体を撮像画面上に表示し、被写体を撮像した撮像画像データを生成する撮像装置であって、表示される撮像画面上の領域を分割管理し、分割管理された領域毎に、生成される撮像画像データを格納するフォルダを関連付ける。表示される撮像画面上における被写体の位置を特定し、特定された位置が、フォルダと関連付けられている分割管理された領域内かの判断を行う。特定された位置がフォルダと関連づいている領域内の場合、関連付けられいるフォルダに、撮像画像データを格納する。【選択図】図８
2019118032.tif 000002
【特許請求の範囲】
【請求項１】
被写体を撮像画面上に表示する被写体表示手段と、前記被写体を撮像した撮像画像データを生成する撮像画像生成手段とを有する撮像装置において、
前記被写体表示手段で表示される撮像画面上の領域を分割管理する領域分割管理手段と、
前記領域分割管理手段により分割管理された領域毎に、前記撮像画像生成手段により生成される撮像画像データを格納するフォルダを関連付ける、領域フォルダ関連付け手段と、
前記被写体表示手段で表示される撮像画面上における被写体の位置を特定する被写体位置特定手段と、
前記被写体位置特定手段により特定された位置が、前記領域フォルダ関連付け手段により関連付けられている分割管理された領域内かの判断を行う領域判断手段と、
前記領域判断手段により、前記領域フォルダ関連付け手段で関連付けられている分割管理された領域内であると判断された場合、該領域フォルダ関連付け手段で関連付けられいるフォルダに、前記撮像画像生成手段により生成される撮像画像データを格納する撮像画像格納手段と
を有することを特徴とする撮像装置。
【請求項２】
前記被写体表示手段で表示される撮像画面上における被写体の位置を撮像画面上に表示する被写体位置表示手段を有することを特徴とする請求項１に記載の撮像装置。
【請求項３】
前記被写体位置特定手段は、撮像される画像の内、合焦している位置により特定されることを特徴とする請求項１又は２に記載の撮像装置。
【請求項４】
前記被写体位置特定手段は、撮像画面上でユーザの指示される位置により特定されることを特徴とする請求項１又は２に記載の撮像装置。
【請求項５】
前記領域フォルダ関連付け手段で関連付けられた領域分割管理手段で分割管理される領域内に、前記格納するフォルダを識別可能に表示する格納フォルダ表示手段を有することを特徴とする請求項１乃至４に記載の撮像装置。
【請求項６】
前記領域分割管理手段は、ユーザの指示により分割管理する領域を変更可能とする分割領域変更手段とを有することを特徴とする請求項１乃至５に記載の撮像装置。
【請求項７】
前記撮像画像格納手段は、前記領域判断手段により、前記領域フォルダ関連付け手段で関連付けられている分割管理された領域外であると判断された場合、デフォルトのフォルダに前記撮像画像生成手段により生成される撮像画像データを格納することを特徴とする請求項１乃至６に記載の撮像装置。
【請求項８】
被写体を撮像画面上に表示する被写体表示手段と、前記被写体を撮像した撮像画像データを生成する撮像画像生成手段とを有する撮像装置における撮像制御方法であって、
前記被写体表示手段で表示される撮像画面上の領域を分割管理する領域分割管理ステップと、
前記領域分割管理ステップにより分割管理された領域毎に、前記撮像画像生成手段により生成される撮像画像データを格納するフォルダを関連付ける、領域フォルダ関連付けステップと、
前記被写体表示手段で表示される撮像画面上における被写体の位置を特定する被写体位置特定ステップと、
前記被写体位置特定ステップにより特定された位置が、前記領域フォルダ関連付けステップにより関連付けられている分割管理された領域内かの判断を行う領域判断ステップと、
前記領域判断ステップにより、前記領域フォルダ関連付けステップで関連付けられている分割管理された領域内であると判断された場合、該領域フォルダ関連付けステップで関連付けられいるフォルダに、前記撮像画像生成手段により生成される撮像画像データを格納する撮像画像格納ステップと
を有することを特徴とする撮像制御方法。
【請求項９】
被写体を撮像画面上に表示する被写体表示手段と、前記被写体を撮像した撮像画像データを生成する撮像画像生成手段とを有する撮像装置におけるプログラムであって、
前記撮像装置を
前記被写体表示手段で表示される撮像画面上の領域を分割管理する領域分割管理手段と、
前記領域分割管理手段により分割管理された領域毎に、前記撮像画像生成手段により生成される撮像画像データを格納するフォルダを関連付ける、領域フォルダ関連付け手段と、
前記被写体表示手段で表示される撮像画面上における被写体の位置を特定する被写体位置特定手段と、
前記被写体位置特定手段により特定された位置が、前記領域フォルダ関連付け手段により関連付けられている分割管理された領域内かの判断を行う領域判断手段と、
前記領域判断手段により、前記領域フォルダ関連付け手段で関連付けられている分割管理された領域内であると判断された場合、該領域フォルダ関連付け手段で関連付けられいるフォルダに、前記撮像画像生成手段により生成される撮像画像データを格納する撮像画像格納手段として機能させることを特徴とするプログラム。
【発明の詳細な説明】
【技術分野】
【０００１】
本発明は、撮像装置、撮像制御方法およびプログラムの技術に関する。
【背景技術】
【０００２】
デジタルカメラやスマートフォンの普及および保存メモリの容量アップに伴い撮影枚数を意識する機会は減っている。加えて写真投稿機能付きのＳＮＳの利用者増加に伴い、写真を撮影しようとする動機が増加したことなどで、未整理の写真が大量に蓄積されることが多くなっている。
【０００３】
大量に蓄積された写真整理の一般的な手法の一つが、任意のテーマごとにフォルダへ振り分けである。しかし、撮影後に改めて振り分けを行う場合、振り分けの判別に必要なための材料が不足していて、振り分けが困難になる場合がある。例えば風景写真を撮影に旅行しに行った時の写真データは、景色に特徴がない限り、振り分けは写真の記録と記憶頼りに行わなければならない。
【０００４】
そこで特許文献１では、撮影時の位置情報を取得し、撮影場所毎に写真をフォルダへ振り分けする機能が記載されている。近年、コンパクトデジタルカメラやスマートフォン、複合機等の、小さい画面でのタッチパネル操作が一般的になってきている。
【先行技術文献】
【特許文献】
【０００５】
【特許文献１】特開２００３−２９８９８７号公報
【発明の概要】
【発明が解決しようとする課題】
【０００６】
しかし、特許文献１を利用して写真をフォルダ分けでは、ユーザが撮影をした位置情報に従って画像ファイルを分類することはできるが、同じ位置で撮影した画像は同じフォルダに分類されるため、その撮影した内容によって分類することができなかった。
【０００７】
たとえば、ワインバーで複数飲んだワインの銘柄を美味しいか、美味しくないかの情報を写真によって記録しておきたい場合に、単にワインバーの位置情報でしか振り分けできず、同一の場所で撮影した写真をさらに仕分けして保存したい時には、再度ユーザによる分類作業を行う必要が生じるというという問題があった。ユーザによる分類作業によりフォルダ分けをするためには、写真以外の記録や、記憶を頼りに仕分けをする作業が発生してしまうという課題があった。
【０００８】
本発明では写真撮影時にユーザが仕分け先のフォルダを指定できる機能を有し、撮影とフォルダ分けが同時に実施できる機能を提供する。
【課題を解決するための手段】
【０００９】
上記課題を解決するために、本発明は、被写体を撮像画面上に表示する被写体表示手段と、前記被写体を撮像した撮像画像データを生成する撮像画像生成手段とを有する撮像装置において、前記被写体表示手段で表示される撮像画面上の領域を分割管理する領域分割管理手段と、前記領域分割管理手段により分割管理された領域毎に、前記撮像画像生成手段により生成される撮像画像データを格納するフォルダを関連付ける、領域フォルダ関連付け手段と、前記被写体表示手段で表示される撮像画面上における被写体の位置を特定する被写体位置特定手段と、前記被写体位置特定手段により特定された位置が、前記領域フォルダ関連付け手段により関連付けられている分割管理された領域内かの判断を行う領域判断手段と、前記領域判断手段により、前記領域フォルダ関連付け手段で関連付けられている分割管理された領域内であると判断された場合、該領域フォルダ関連付け手段で関連付けられいるフォルダに、前記撮像画像生成手段により生成される撮像画像データを格納する撮像画像格納手段とを有することを特徴とする。
【発明の効果】
【００１０】
本発明によれば、写真撮影時にユーザが仕分け先のフォルダを指定でき、撮影とフォルダ分けが同時に実施できるという効果を有する。
【図面の簡単な説明】
【００１１】
【図１】本実施形態における携帯端末１００および撮像装置１１０の外観図である。
【００１２】
【図２】本実施形態における携帯端末１００の構成例を示すブロック図である。
【００１３】
【図３】本実施形態の携帯端末１００における撮像画像のエリア別のフォルダ仕分けを指定する処理の流れを説明するフローチャートである。
【００１４】
【図４】本実施形態の携帯端末１００のＣＰＵ２０１が受取るオブジェクト（文字情報）とターゲット（キーワード情報）の例である。
【００１５】
【図５】本実施形態の携帯端末１００のタッチパネル２１０上に表示される画面イメージの一例である。
【００１６】
【図６】本実施形態の携帯端末１００のタッチパネル２１０上に表示される画面イメージの一例である。
【００１７】
【図７】本実施形態の携帯端末１００のタッチパネル２１０上に表示される画面イメージの一例である。
【００１８】
【図８】本実施形態の携帯端末１００におけるユーザの操作イメージと格納するフォルダを説明する模式図である。
【発明を実施するための形態】
【００１９】
以下、添付の図面を参照して本発明の好適な実施形態を説明する。
【００２０】
［撮像装置の構成について］
以下、添付図面を参照しながら、本発明に係る撮像装置の実施形態について詳細に説明する。
【００２１】
図１は、本発明に係る携帯端末１００もしくは撮像装置１１０（以下、撮像装置）の外観の一例を示す外観図である。本発明の携帯端末１００は、例えば、携帯情報端末（ＰＤＡ）や、スマートフォンである。携帯端末１００、撮像装置１１０ともに、タッチパネル機能を持つ表示部１０１と、ボタン１０２を備えている。表示部１０１は、液晶パネルのような表示制御部と、タッチパッドのような位置入力制御部とを組み合わせた電子部品であり、タッチパネルとも呼ばれる。
【００２２】
表示部１０１のタッチパネルは、指先と電導膜との間での静電容量の変化をとらえて位置を検出する静電容量方式の投影型のタッチスクリーンである。
【００２３】
ボタン１０２は、携帯端末１００で実行されているプログラムを開始させるためのボタンであり、アプリケーションプログラム（以下、単にアプリケーションと呼ぶ）の起動は、表示部１０１のタッチパネル機能を用いて、画面に表示されるアプリケーションのアイコンをクリックことにより実行することができる。また、撮像装置１１０の場合は、電源ＯＮボタン１１２の押下後、同じく表示部１０１のタッチパネル機能を用いることによりアプリケーションを実行する事ができる。なお、アプリケーション起動中にボタン１０２を押下すると、起動されているアプリケーションを終了できる。
【００２４】
撮影用のレンズ１０３は、図面の裏面側に配置されており、レンズ１０３から入射した撮像光を撮像素子で結像し、最終的にデジタル信号に変換する機能を有する（撮像画像生成部）。以降の処理は携帯端末１００を例に説明するが、同様の処理は撮像装置１１０でも実行可能である。
【００２５】
携帯端末や撮像装置は、他にも通信機能等を備えていてもよいが、本発明とは直接関係がないため説明は省略する。
【００２６】
図２を参照して図１に示すスマートフォン等の容易に持ち運び可能な携帯端末１００のハードウェア構成について説明する。ＣＰＵ２０１は、システムバス２０４に接続される各デバイスやコントローラを統括的に制御する。
【００２７】
また、ＲＯＭ２０２あるいはフラッシュメモリ２１４（記憶手段）には、ＣＰＵ２０１の制御プログラムであるＢＩＯＳ（Ｂａｓｉｃ  Ｉｎｐｕｔ／ＯｕｔｐｕｔＳｙｓｔｅｍ）やオペレーティングシステムプログラム（以下、ＯＳ）や、当該携帯端末１００が実行する機能を実現するために必要な、後述する各種プログラム等が記憶されている。ＲＡＭ２０３は、ＣＰＵ２０１の主メモリ、ワークエリア等として機能する。
【００２８】
ＣＰＵ２０１は、処理の実行に際して必要なプログラム等をＲＡＭ２０３にロードして、プログラムを実行することで各種動作を実現するものである。また、携帯端末１００には、ＧＰＳ衛星からの信号を受信して現在位置情報を取得可能なＧＰＳ受信手段２１５（位置情報取得手段）が設けられており、ＣＰＵ２０１は、ＧＰＳ受信手段２１５からのＧＰＳ座標情報（位置情報）の取得制御を行う。
【００２９】
また、入力コントローラ２０５は、タッチパネル２１０、マイク２１１、カメラ２１２からの入力を制御する。タッチパネル２１０からはユーザのタッチ操作に関する入力を制御し、マイク２１１からは音声の入力を制御し、更にカメラ２１２（撮像手段）からは撮像された静止画、動画の入力を制御する。出力コントローラ２０６は、タッチパネル２１０への画像出力、スピーカー２１３への音声出力を制御する。
【００３０】
タッチパネル２１０は、ユーザからのタッチ操作を検知すると共に、前述した出力コントローラ２０６から送られた映像（画像）を表示する（被写体表示部）。タッチパネル２１０は、表示器と位置入力装置とが一体となった部品である。複数の箇所に対するタッチ操作（以下、マルチタッチ）も検知可能である。
【００３１】
メモリコントローラ（ＭＣ）２０７は、ブートプログラム、ブラウザソフトウエア、各種のアプリケーション、フォントデータ、ユーザファイル、編集ファイル、各種データ等を記憶するフラッシュメモリ２１４へのアクセスを制御する。本実施形態においては、フラッシュメモリとして説明を行うが、ハードディスク（ＨＤ）やフレキシブルディスク（ＦＤ）或いはＰＣＭＣＩＡカードスロットにアダプタを介して接続されるカード型メモリ等の記憶媒体であってもよい。
【００３２】
通信Ｉ／Ｆコントローラ２０９は、ネットワークを介して、外部機器と接続・通信するものであり、ネットワークでの通信制御処理を実行する。例えば、ＴＣＰ／ＩＰを用いたインターネット通信等が可能である。そして、このようなネットワークを介して、携帯端末１００は、ＧＰＳ受信手段で受信した座標情報等を各種サーバに送信することができてもよい。
【００３３】
尚、ＣＰＵ２０１は、例えばＲＡＭ２０３内の表示情報用領域へアウトラインフォントの展開（ラスタライズ）処理を実行することにより、タッチパネル２１０上での表示を可能としている。
【００３４】
本実施形態の携帯端末１００が後述する各種処理を実行するために用いられる各種プログラム等はフラッシュメモリ２１４に記録されており、必要に応じてＲＡＭ２０３にロードされることによりＣＰＵ２０１によって実行可能である。さらに、本実施形態に係わるプログラムが用いる定義ファイルや各種情報テーブルもフラッシュメモリ２１４に格納しておくことができる。
【００３５】
次に、図３を参照して、撮像時にフォーカスがあった画面上の位置により、格納するフォルダを設定する仕分けフォルダ指定処理の流れを説明する。
【００３６】
図３は、本実施形態の携帯端末１００における撮像画像のエリア別のフォルダ仕分けを指定する処理の流れを説明するフローチャートであり、このフローチャートにおける各処理は、ＣＰＵ２０１がフラッシュメモリ２１４等に格納されたプログラムをＲＡＭ２０３に展開して実行することにより実現される。Ｓ３０１〜Ｓ３０８は携帯端末１００における処理ステップを示す。
【００３７】
図３のフローチャートは、本発明のアプリケーションを起動した際に開始される処理の流れである。
【００３８】
まず、ステップＳ３０１において、携帯端末１００のＣＰＵ２０１は、画面表示領域の分割候補を表示する。この分割候補は、撮像画像の合焦した位置が分割された画面の領域で格納フォルダを変えるための画面分割候補となる。図５を参照して、画面分割候補を表示する画面イメージを説明する。
【００３９】
図５は、本願発明の実施例における、画面分割の候補を示す画面イメージの一例を示す模式図である。
【００４０】
図５の５００，５１０，５２０，５３０，５４０，５５０は画面分割候補の一例であり、５００は携帯端末を横向きにした場合に画面領域を左右への均等分割した例である。５１０は画面を四分割した例、５２０は携帯端末を横向きにした場合の上下へ均等分割した例である。５３０は携帯端末を横向きにした場合の左右への画面領域の不均等に分割した例であり、５３０の不均等な分割画面は、タッチパネル上のドラッグ操作により、サイズを任意に変更できる（分割領域変更部）。５４０は画面中央部分とそれ以外の部分に分割している。この中央部分の指定方法は、タッチパネル上のピンチアウト操作、ピンチイン操作により拡大縮小することができ、ドラッグ操作により中央部分を移動させることもできる。５５０は５４０と同じ選択画面であるが、後の格納フォルダ設定画面で中央部分以外の範囲にフォルダ設定を行わないパターンであり、詳細は後述する。図３のフローチャートの説明に戻る。
【００４１】
図３のステップＳ３０１において、携帯端末１００のタッチパネル２１０上に画面分割の候補である図５の候補を表示すると、次のステップＳ３０２において、携帯端末１００のＣＰＵ２０１は、画面分割候補の画面からユーザの操作により、画面分割する分割方法の選択（指定）を受け付ける。本実施例では、特に指定がない限り、５００の分割画面が選択されたユースケースとして説明する。
【００４２】
次に、ステップＳ３０３において、携帯端末１００のＣＰＵ２０１は、ステップＳ３０２でユーザにより選択された分割領域を管理し（領域分割管理部）、タッチパネル２１０上に分割領域を表示する。分割画面が表示されたイメージがたとえば、５００などである。
【００４３】
以降の、ステップＳ３０４〜Ｓ３０７において、それぞれの領域内で合焦した被写体がある場合に撮像画像を格納するフォルダを設定する処理について、図６を参照しながら説明する。
【００４４】
ステップＳ３０４において、携帯端末１００のＣＰＵ２０１は、格納するフォルダを設定する画面上の領域の選択を受け付ける。図６の６００のような画面イメージをタッチパネル２１０上に表示する。
【００４５】
図６は、本発明の実施形態における携帯端末１００のタッチパネル２１０上に表示される画面イメージの一例を示す模式図である。
【００４６】
６００は、格納するフォルダを設定する領域を指定するための画面イメージであり、ユーザからの接触などにより、たとえば「丸１マーク」の６０１領域が選択されたイメージである。この際、６０１の領域に関連づいて設定されているフォルダは、当初はないので、６０２の振り分け先設定欄には、『振り分け先未設定』という表示がされている。
【００４７】
次に、ステップＳ３０５において、携帯端末１００のＣＰＵ２０１は、ステップＳ３０４により選択された領域で合焦した撮像画像を格納するフォルダを選択させるための画面を表示する。フォルダを表示したイメージを６１０を参照して説明する。
【００４８】
６１０は、６００で指定された分割領域内で合焦した撮像画像を格納するフォルダを選択させるためにタッチパネル２１０上に表示される画面イメージであり、イメージにはフォルダ構成図が描画されている。画面上の複数のフォルダを図示している状態で、たとえば、６１１のように『美味しい』フォルダの選択をユーザから受け付ける（ユーザの指による接触などによる）と、ステップＳ３０６へと処理を遷移する。ステップＳ３０６において、携帯端末１００のＣＰＵ２０１は、一例として６１０のような画面イメージで、格納するフォルダを受け付ける。なお、６１０の画面で『＋新規フォルダ』欄６１２の選択を受け付けると、新たにフォルダを作成して、そのフォルダを格納するフォルダにすることもできる。
【００４９】
次のステップＳ３０７へと処理を遷移すると、携帯端末１００のＣＰＵ２０１は、ステップＳ３０４で選択された領域とステップＳ３０６で選択されたフォルダを関連付ける処理を行う（領域フォルダ関連付け部）。図６の例では、６２０の画面の６２１のように、「丸１マーク」の領域に、『￥￥Ｄｅｆａｕｌｔ￥美味しい』フォルダが関連づいている。
【００５０】
以上、ステップＳ３０３からＳ３０７の処理を分割領域の数だけ繰り返す（Ｓ３０８）ことによって、撮像画像データを複数のフォルダに振り分けることができる。
【００５１】
他の具体的な事例を示す。図５の５１１は、分割領域を４分割した例である。４分割した場合には、４つのフォルダに振り分けることができる。たとえば、５１１の左上である「丸１マーク」のエリアで合焦した撮像画像であれば、『￥￥Ｄｅｆａｕｌｔ￥高い￥不味い』フォルダに格納し、右上である「丸２マーク」のエリアで合焦した撮像画像であれば、『￥￥Ｄｅｆａｕｌｔ￥高い￥美味しい』フォルダに格納する。また、右下の「丸３マーク」のエリアで合焦した撮像画像であれば、『￥￥Ｄｅｆａｕｌｔ￥安い￥美味しい』フォルダに格納し、左下の「丸４マーク」のエリアで合焦した撮像画像であれば、『￥￥Ｄｅｆａｕｌｔ￥安い￥不味い』フォルダに格納する。このように撮像する被写体の位置（合焦している位置）により格納するフォルダを振り分けることにより、後でのデータ整理や撮像画像の整理が容易になるという効果を生む。
【００５２】
次に、本発明に係る携帯端末１００での画像撮像後の処理の流れを図４を参照して説明する。
【００５３】
図４は、本実施形態の携帯端末１００における画像撮像後にエリア毎に記憶フォルダを変更する処理の流れを説明するフローチャートであり、このフローチャートにおける各処理は、ＣＰＵ２０１がフラッシュメモリ２１４等に格納されたプログラムをＲＡＭ２０３に展開して実行することにより実現される。Ｓ４０１〜Ｓ４０９は携帯端末１００における処理ステップを示す。
【００５４】
図４のフローチャートは、ユーザにより本アプリケーションが起動され、撮影を始めようとした際に開始される処理の流れである。
【００５５】
まず、ステップＳ４０１において、携帯端末１００のＣＰＵ２０１は、ユーザによりレンズが向けられた撮影対象の被写体をタッチパネル２１０上に表示する。
【００５６】
次に、ステップＳ４０２において、携帯端末１００のＣＰＵ２０１は、ユーザのタッチパネルへの接触が行われたかを判断する。本実施例では、タッチオートフォーカス技術（タッチパネル上でタッチされた被写体に合焦する技術）により合焦位置を特定するという処理で説明する。
【００５７】
ステップＳ４０２において、ユーザによるタッチパネルへの接触があった場合、ステップＳ４０３へと処理を遷移し、タッチパネルへの接触がなければ、ステップＳ４０３の処理をスキップし、ステップＳ４０４の処理へと遷移する。
【００５８】
ステップＳ４０３において、携帯端末１００のＣＰＵ２０１は、ユーザのタッチパネル上に接触された部分の被写体に自動的に焦点を合わせ、フォーカス位置を決定して合焦処理を行う（被写体位置特定部）。なお、本実施例では、タッチオートフォーカス技術を使った装置として説明しているが、フォーカス位置を合わせるやり方は他の方法でも良い。たとえば、撮像装置１１０の場合は、ファインダ内のフォーカスエリアが表示された状態でシャッターボタンの半押し機能などによる入力により、フォーカス位置が指定されても良い。また、ステップＳ４０２からＳ４０３の処理は、単にユーザが被写体をタッチパネル２１０上で特定するために使用しても良い。その場合、後述するステップＳ４０６での合焦位置は、ユーザによりタッチパネル２１０上で指定された位置となる。
【００５９】
次に、ステップＳ４０４において、携帯端末１００のＣＰＵ２０１は、ユーザからシャッターボタンが押下されるかを判断する。シャッターボタンは、タッチパネル上に表示されるボタンでも良いし、タッチパネル以外の外部のシャッターボタンでも良い。シャッターボタンが押下されていない場合、処理はステップＳ４０１まで戻り、シャッターボタンが押下されるまでステップＳ４０１からステップＳ４０４の処理を繰り返す。
【００６０】
ステップＳ４０４において、シャッターボタンが押下されたと判断された場合、次のステップＳ４０５へと処理を進め、ステップＳ４０５において、携帯端末１００のＣＰＵ２０１は、ステップＳ４０３で合焦している画像を撮像し、ＲＡＭ２０３に画像データを一時記憶する。
【００６１】
次に、ステップＳ４０６へと処理を移行し、携帯端末１００のＣＰＵ２０１は、ステップＳ４０５で撮像した画像の合焦位置が、ステップＳ３０７で関連付けられた領域内にあるかどうかを判断する。ステップＳ３０７でフォルダへ振り分けられる領域である場合は、ステップＳ４０７へと処理を遷移する。一方、ステップＳ３０７でフォルダへ振り分けられる領域でないと判断されると、ステップＳ４０８へと処理を遷移する。
【００６２】
ステップＳ４０７へと処理を遷移すると、ステップＳ３０７でフォルダに振り分けられる領域で合焦しているので、ステップＳ４０５で撮像された撮像画像データをそれぞれの割り振られたフォルダへ格納する（撮像画像格納部）。
【００６３】
一方、ステップＳ４０８へと処理を遷移すると、フォルダを振り分けられている領域で合焦していないので、デフォルトのフォルダへ、ステップＳ４０５で撮像された撮像画像データを格納する。ステップＳ４０８の例を、図５の５５０を参照して説明する。
【００６４】
図５の５５０は、中央部分の「丸１マーク」の領域で合焦した場合は、ステップＳ４０７へと処理を移行し、「丸１マーク」の領域に紐付けられたフォルダに撮像画像データを格納するが、「丸１マーク」の領域以外で合焦した撮像画像データであり、「丸１マーク」の領域以外に格納するフォルダが割り振られていない場合は、たとえばデフォルトのフォルダである『￥￥Ｄｅｆａｕｌｔ』に撮像画像データを格納する（ステップＳ４０８）。
【００６５】
次のステップＳ４０８において、撮像を終了するかユーザの選択を受け付け、撮像を継続する場合はステップＳ４０１へと処理を遷移し、撮像を終了する選択を受け付けると、本発明の処理を終了する。
【００６６】
以上の処理のように、撮像する際のタッチパネル２１０上での被写体の位置（合焦位置）により、格納するフォルダを振り分けることが可能となり、撮像画像のユーザによる整理を容易にすることができる。
【００６７】
なお、撮像領域に格納するフォルダ名や、識別可能な記号などを表示して、ユーザに撮像の際、撮像領域を示唆しても良い。図７を参照して、撮像領域にフォルダ名を表示する処理について説明する。
【００６８】
図７は、本発明の実施形態における携帯端末１００のタッチパネル２１０上に表示される画面イメージの一例である。
【００６９】
図７の７００は、携帯端末１００のタッチパネル２１０上を２分割し、左半分で合焦した場合は『￥￥Ｄｅｆａｕｌｔ￥美味しい』フォルダに格納される例であり、右半分で合焦した場合は『￥￥Ｄｅｆａｕｌｔ￥不味い』フォルダに格納される例である。
【００７０】
７００のタッチパネル２１０左半分の７０１の領域に、たとえば格納するフォルダ名である『美味しい』を表示し、ユーザが撮像する際に合焦させる位置を忘れないようにできる。タッチパネル２１０右半分の７０２の領域に、たとえば格納するフォルダ名である『不味い』を表示し、ユーザが撮像する際に合焦させる位置を思い起こさせることができる（格納フォルダ表示部）。なお、不味い場合の右半分は『不味い』という文字を表示しなくてもよい。
【００７１】
７００のような画面を表示することにより、ユーザが撮像する際に合焦位置を調整することを忘れさせないという効果を有する。
【００７２】
図８を参照して、本発明のユーザの処理と格納されるフォルダの関係を説明する。
【００７３】
図８は、本発明の実施形態の携帯端末１００におけるユーザの操作イメージと格納するフォルダを説明する模式図である。
【００７４】
図８の８００は、撮影領域を分割して格納するフォルダを設定されている例であり、図３のフローチャートの処理により撮像領域分割と格納するフォルダが設定されている。左半分８０１で合焦した場合は『美味しい』フォルダに格納され、右半分８０２で合焦した場合は『不味い』フォルダに格納するように設定されている例である。
【００７５】
８１０は被写体を撮像する処理と、その後の撮像画像データを保存するフォルダを説明した図である。８１０は具体的にワインＡを試飲した際などに、そのワインの味が美味しかった場合にユーザが操作する携帯端末１００の例である。
【００７６】
ユーザは、ワインＡが美味しかったため、携帯端末１００のタッチパネル８１１上の『美味しい』エリア（すなわち、左半分８０１）に被写体を合焦して撮像を行う。なお、合焦位置の特定方法はタッチオートフォーカス機能でも良いし、通常の撮像装置によるオートフォーカスでも良い。オートフォーカスで特定された合焦位置は、８１２のように強調表示（被写体位置表示部）することで、合焦位置を表示しないときより、格納されるフォルダを容易に特定しやすくなる。
【００７７】
携帯端末１００のタッチパネル８１１上では、合焦位置が８０１の『美味しい』領域で合焦したので、撮像された撮像画像データは、８１３のように『美味しい』フォルダに格納される。
【００７８】
また、８２０も被写体を撮像する処理と、その後の撮像画像データを保存するフォルダを説明した図であり、８２０は具体的にワインＢを試飲した際などに、そのワインの味が不味かった場合にユーザが操作する携帯端末１００の例である。
【００７９】
ユーザは、ワインＢがあまり美味しくなかったため、携帯端末１００のタッチパネル８２１上の『不味い』エリア（すなわち、右半分８０２）で被写体を合焦して撮像を行う。なお、合焦位置の特定方法はタッチオートフォーカス機能でも良いし、通常の撮像装置によるオートフォーカスでも良いのは言うまでもない。オートフォーカスで特定された合焦位置は、８２２のように強調表示（被写体位置表示部）することで、合焦位置を表示しないときより、格納されるフォルダを容易に特定しやすくなる。
【００８０】
携帯端末１００のタッチパネル８２１上では、合焦位置が８０２の『不味い』領域で合焦したので、撮像された撮像画像データは、８２３のように『不味い』フォルダに格納される。
【００８１】
以上の処理により、写真撮影時にユーザが仕分け先のフォルダを指定でき、撮影とフォルダ分けが同時に実施できるという効果を有する。
【００８２】
以上、携帯端末により本発明を説明したが、本発明の適用はこれに限られるものではなく、タッチパネルを有する機器であれば、撮像装置や情報処理装置でも適用が可能である。
【００８３】
また、本発明は、複数の機器から構成されるシステムに適用しても良いし、また、一つの機器からなる装置に適用しても良い。
【００８４】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８６】
その場合、プログラムの機能を有していれば、オブジェクトコード、インタプリタにより実行されるプログラム、ＯＳに供給するスクリプトデータ等、プログラムの形態を問わない。
【００８７】
プログラムを供給するためのコンピュータ読み取り可能な記憶媒体、或いは、記録媒体としては以下に示すものが考えられる。例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤＲＯＭ、ＤＶＤ−Ｒ、ＤＶＤ−ＲＷ等である。また、光／光磁気記録媒体不揮発性の半導体メモリでもよい。
【００８８】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８９】
ここで、プログラムデータファイルとしては、圧縮され、本発明を形成するコンピュータプログラムと自動インストール機能を含むファイル等も含まれる。
【００９０】
この場合、プログラムデータファイルを複数のセグメントファイルに分割し、セグメントファイルを異なるサーバに配置することも可能である。
【００９１】
つまり、本発明の機能処理をコンピュータで実現するためのプログラムデータファイルを複数のユーザに対してダウンロードさせるサーバ装置も本発明に含む。
【００９２】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００９３】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【００９４】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【符号の説明】
【００９５】
１００  携帯端末
１０１  表示部
１０２  ボタン
１０３  レンズ
１１０  撮像装置
１１２  電源ＯＮボタン
【図１】
2019118032.tif 000003
【図２】
2019118032.tif 000004
【図３】
2019118032.tif 000005
【図４】
2019118032.tif 000006
【図５】
2019118032.tif 000007
【図６】
2019118032.tif 000008
【図７】
2019118032.tif 000009
【図８】
2019118032.tif 000010